(57)【要約】【課題】排水栓を簡単に取り出せるようにする。【解決手段】洗面台Ａは、底部に排水口１１が開口したボウル１０と、排水口１１から下方へ延出した排水路１２と、排水路１２から分岐した流入口２５を有するオーバーフロー流路１３と、流入口２５の下方において排水路１２における水の流れを遮断可能な排水栓４５と、排水栓４５との連結がなされ、排水口１１を覆うように配置される目皿４１とを備えている。目皿４１を排水口１１の上方へ持ち上げると、目皿４１に連結された排水栓４５も持ち上げられる。したがって、目皿４１を持ち上げるだけで、排水路１２内に収容されている排水栓４５を簡単に取り出すことができる。【選択図】図２
2020041366.tif 000002
【特許請求の範囲】
【請求項１】
底部に排水口が開口したボウルと、
前記排水口から下方へ延出した排水路と、
前記排水路から分岐した流入口を有するオーバーフロー流路と、
前記流入口の下方において前記排水路における水の流れを遮断可能な排水栓と、
前記排水栓との連結がなされ、前記排水口を覆うように配置される目皿とを備えていることを特徴とする洗面台。
【請求項２】
前記連結は、前記目皿と前記排水栓との上下方向への相対変位を許容することを特徴とする請求項１記載の洗面台。
【請求項３】
前記連結は、解除可能であることを特徴とする請求項１又は請求項２記載の洗面台。
【請求項４】
前記連結は、連結部材によって実現されており、
前記連結の解除は、前記目皿と前記排水栓のうち少なくとも一方が、前記連結部材から取り外されることによって実現されることを特徴とする請求項３記載の洗面台。
【請求項５】
前記連結は、第１連結であり、
前記排水栓よりも下方に位置し、第２連結として前記目皿との連結がなされたヘアキャッチャーを備えていることを特徴とする請求項１から請求項４までのいずれか１項に記載の洗面台。
【請求項６】
前記オーバーフロー流路は、前記流入口の下方において前記排水路に合流する合流部を有し、
前記排水栓が前記排水路を遮断している状態において、前記ヘアキャッチャーが前記合流部よりも下方に配置されることを特徴とする請求項５記載の洗面台。
【請求項７】
前記オーバーフロー流路は、前記流入口の下方において前記排水路に合流する合流部を有し、
前記排水栓が前記排水路を遮断している状態において、前記ヘアキャッチャーが前記合流部よりも上方に配置されることを特徴とする請求項５記載の洗面台。
【請求項８】
前記第２連結は、解除可能であることを特徴とする請求項５から請求項７までのいずれか１項に記載の洗面台。
【発明の詳細な説明】
【技術分野】
【０００１】
本発明は、洗面台に関する。
【背景技術】
【０００２】
特許文献１には、底部に排水口が開口した貯水用のボウル（槽体）と、排水口から下方へ延出した排水管と、ボウル内の水が排水管のみを通過して排出される排水経路を遮断するための排水栓（弁部分）と、排水管に接続されたオーバーフロー配管とを備えた洗面台が開示されている。オーバーフロー配管は、排水口の下方において排水管に連通するオーバーフロー分岐口（オーバーフロー排水口）と、オーバーフロー分岐口の下方において排水管に連通するオーバーフロー合流口とを有している。
【０００３】
この洗面台は、ボウルの立面にオーバーフロー口が開口しているのではなく、排水管のうち排水口よりも下方の位置にオーバーフロー配管が接続されている。そのため、排水栓は、排水管内に収容され、オーバーフロー分岐口とオーバーフロー合流口の間の高さに設けられている。排水栓によって排水管を閉塞した状態でボウルに水を供給すると、ボウル内とオーバーフロー配管内の水位が上昇する。ボウル内とオーバーフロー配管内が規定水位に達した後は、余剰の水が、オーバーフロー配管からオーバーフロー合流口を経て排水管に排出される。
【先行技術文献】
【特許文献】
【０００４】
【特許文献１】特開２０１１−１１７２２９号公報
【発明の概要】
【発明が解決しようとする課題】
【０００５】
排水栓は、排水管のうち排水口及びオーバーフロー分岐口よりも下方に配置されている。そのため、清掃やメンテナンス等のために排水栓を排水管から取り出そうとしても、取り出しの作業が困難である。
【０００６】
本発明は、上記従来の実情に鑑みてなされたものであって、排水栓を簡単に取り出せるようにすることを解決すべき課題としている。
【課題を解決するための手段】
【０００７】
本発明は、
底部に排水口が開口したボウルと、
前記排水口から下方へ延出した排水路と、
前記排水路から分岐した流入口を有するオーバーフロー流路と、
前記流入口の下方において前記排水路における水の流れを遮断可能な排水栓と、
前記排水栓との連結がなされ、前記排水口を覆うように配置される目皿とを備えていることを特徴とする。
【発明の効果】
【０００８】
目皿を排水口の上方へ持ち上げると、目皿に連結された排水栓も持ち上げられる。したがって、目皿を持ち上げるだけで、排水路内に収容されている排水栓を簡単に取り出すことができる。
【図面の簡単な説明】
【０００９】
【図１】実施例１の洗面台の断面図
【図２】排水路内において排水栓が閉弁位置にある状態をあらわす部分拡大側断面図
【図３】排水路内において排水栓が開弁位置にある状態をあらわす部分拡大側断面図
【図４】目皿と排水栓とヘアキャッチャーを連結部材から分離した状態をあらわす一部切欠側面図
【図５】実施例２の洗面台の排水路内において排水栓が閉弁位置にある状態をあらわす部分拡大側断面図
【発明を実施するための形態】
【００１０】
本発明は、前記連結は、前記目皿と前記排水栓との上下方向への相対変位を許容してもよい。この構成によれば、排水栓が、排水路における水の流れを遮断する形態と水の流れを許容する形態との間で上下動しても、目皿は排水口を覆う状態に保持される。
【００１１】
本発明は、前記連結は、解除可能であってもよい。この構成によれば、目皿と排水栓との連結を解除して分離することにより、目皿と排水栓の清掃を容易に行うことができる。目皿と排水栓のいずれかが破損した場合は、その破損した部品のみを交換すれば済む。
【００１２】
本発明は、前記連結は、連結部材によって実現されており、前記連結の解除は、前記目皿と前記排水栓のうち少なくとも一方が、前記連結部材から取り外されることによって実現されてもよい。この構成によれば、目皿と排水栓のうち少なくとも一方を連結部材から分離させれば、その分離した部品の清掃作業が容易となる。
【００１３】
本発明は、前記連結は、第１連結であり、前記排水栓よりも下方に位置し、第２連結として前記目皿との連結がなされたヘアキャッチャーを備えていてもよい。この構成によれば、目皿を排水口の上方へ持ち上げるだけで、排水路内に収容されているヘアキャッチャーを簡単に取り出すことができる。
【００１４】
本発明は、前記オーバーフロー流路は、前記流入口の下方において前記排水路に合流する合流部を有し、前記排水栓が前記排水路を遮断している状態において、前記ヘアキャッチャーが前記合流部よりも下方に配置されていてもよい。この構成によれば、オーバーフロー流路を通過した毛髪等をヘアキャッチャーで捕捉することができる。
【００１５】
本発明は、前記オーバーフロー流路は、前記流入口の下方において前記排水路に合流する合流部を有し、前記排水栓が前記排水路を遮断している状態において、前記ヘアキャッチャーが前記合流部よりも上方に配置されていてもよい。この構成によれば、ヘアキャッチャーが毛髪等で目詰まりを生じても、オーバーフロー流路を経由する排水経路が遮断される可能性が低くなる。
【００１６】
本発明は、前記第２連結は、解除可能であってもよい。この構成によれば、ヘアキャッチャーを目皿から分離させることにより、目皿とヘアキャッチャーの清掃を容易に行うことができる。目皿とヘアキャッチャーのいずれかが破損した場合は、その破損した部品のみを交換すれば済む。
【００１７】
＜実施例１＞
以下、本発明を具体化した実施例１を図１〜図４を参照して説明する。以下の説明において、上下の方向については、図１〜４にあらわれる向きを、そのまま上方、下方とし、前後方向については、図１〜３における左方を前方と定義する。
【００１８】
本実施例１の洗面台Ａは、機能的には、水や湯を溜めるためのボウル１０と、ボウル１０の底部において上向きに開口する平面視円形の排水口１１から下方へ延出した形態の排水路１２と、オーバーフロー流路１３と、多機能モジュール４０とを備えている。オーバーフロー流路１３は、ボウル１０に水や湯を溜めたときに水や湯がボウル１０の上端の開口縁から溢れ出すのを防止するための手段である。
【００１９】
排水路１２は、ボウル１０内の水や湯を、オーバーフロー流路１３を経由しない最短排水経路１４を構成するものである。多機能モジュール４０は、排水口１１を覆い隠す機能と、ボウル１０に水や湯を溜める際に最短排水経路１４を閉鎖するための開閉弁として機能と、最短排水経路１４の途中で物等を捕捉する機能とを兼ね備えたものである。
【００２０】
図１に示すように、洗面台Ａは、部品構成的には、陶器製の洗面台本体１５と、円筒形をなす排水管２０と、連通管２６と、湾曲管２８と、フロート弁３１と、上記多機能モジュール４０とを備えて構成されている。洗面台本体１５には、ボウル１０と、排水口１１と、筒状取付部１６と、上昇流路１７と、収容空間１８と、排気孔１９とが形成されている。筒状取付部１６は、排水口１１から鉛直方向下方へ突出した形態である。
【００２１】
筒状取付部１６には、排水管２０の上端部が、ナット２１のねじ込みにより接続されている。接続された排水管２０の内部空間は、排水口１１を介してボウル１０内に連通する排水路１２として機能する。筒状取付部１６の内周と排水管２０の上端部外周との間は、円環状（円筒状）をなす連通空間２２となっている。排水管２０の上端部には、排水路１２と連通空間２２とを連通させるための複数（例えば、２つ）の流出孔２３が、周方向に間隔を空けて形成されている。排水管２０の内周における流出孔２３よりも下方（排水方向下流側）の位置には、上方（排水口１１側）に面する段差状の弁座２４が形成されている。
【００２２】
上昇流路１７は、ボウル１０を構成する底壁部及び後壁部の外面に沿って側面視略Ｌ字形に形成された孔状に形成されている。上昇流路１７はオーバーフロー流路１３を構成するものであり、上昇流路１７の下端部（オーバーフロー方向上流端）は、筒状取付部１６の後面部に連なる流入口２５となっている。流入口２５は、筒状取付部１６の内部空間（連通空間２２）を介して排水管２０（排水路１２）の上端部と連通するように開口している。流入口２５の開口位置は、上下方向において排水管２０の流出孔２３と対向し、且つ上下方向において弁座２４よりも上方（排水方向上流側）の位置である。
【００２３】
収容空間１８は、洗面台本体１５のうちボウル１０の後方上端部に配置され、下方へ開放されている。排気孔１９は、収容空間１８の上端部と洗面台本体１５の上面とを連通させるように開口している。収容空間１８内には連通管２６が収容されている。
【００２４】
連通管２６は、側面視形状が上下逆向きの略Ｌ字形をなす部品であり、オーバーフロー流路１３を構成する。連通管２６の内部は折返流路２７となっている。連通管２６（折返流路２７）の両端部のうち前方を向いた一端部は、上昇流路１７の上端部（オーバーフロー方向下流端）に連通状態で接続されている。連通管２６の下向きに開口する他端部（オーバーフロー方向下流端）には、洗面台本体１５の外部下方に配置された湾曲管２８の上端部が接続されている。
【００２５】
湾曲管２８は、オーバーフロー流路１３を構成する部品である。湾曲管２８の内部は下降流路２９となっている。下降流路２９の上端部（オーバーフロー方向上流端）は、折返流路２７の下端部（オーバーフロー方向下流端）に連通状態に接続されている。下降流路２９の下端部（オーバーフロー方向下流端）は、流入口２５及び弁座２４よりも下方に位置し、合流部３０として機能する。合流部３０は、排水路１２（最短排水経路１４）と連通するように排水管２０に接続されている。
【００２６】
フロート弁３１は、収容空間１８内に収容され、連通管２６の上面に取り付けられている。フロート弁３１は、弁室３２と、弁室３２内に収容され比重が水よりも小さい球形の弁体３３と、弁室３２の下端部に形成されて折返流路２７（オーバーフロー流路１３）と連通可能な下部弁口３４と、弁室３２の上端部に形成されて収容空間１８と連通可能な上部弁口３５とを有する。
【００２７】
図２，３に示すように、多機能モジュール４０は、目皿４１と、弁モジュール４２とを上下方向への相対変位を可能に連結した形態である。弁モジュール４２は、連結部材４３と、連結キャップ４４と、排水栓４５と、ヘアキャッチャー４６とを組み付けて構成されている。多機能モジュール４０は、排水路１２内に収容された状態で複数の機能を発揮する。多機能モジュール４０は、排水路１２から上方へ抜き取ることが可能となっている。
【００２８】
図４に示すように、目皿４１は、平面視円形の平板状をなす覆い部４７と、筒状嵌合部４８と、筒状連結部４９とを有する単一部品である。覆い部４７の外径は、排水口１１の最大内径よりも大きい寸法に設定されている。筒状嵌合部４８は、覆い部４７の下面から同心円筒状に延出した形態であり、筒状嵌合部４８の外径は覆い部４７の外径よりも小さい。筒状嵌合部４８には、筒状嵌合部４８の外周から内周へ貫通した形態の複数（例えば、４つ）の流入孔５０が、周方向に間隔を空けて形成されている。筒状連結部４９は、筒状嵌合部４８よりも小径であり、覆い部４７の下面から覆い部４７及び筒状嵌合部４８と同心の円筒状に延出している。筒状連結部４９の外周には、筒状雄ネジ部５１が形成されている。
【００２９】
連結部材４３は、全体として上下方向に細長い棒状をなす。連結部材４３は、連結部材４３のほぼ全長に亘る長さを有するロッド５２と、ロッド５２の上端部に取り付けた抜止めビス５３とから構成されている。ロッド５２の上端部には、ロッド５２の上面を同心状に穿孔した形態の孔状雌ネジ部５４が形成されている。抜止めビス５３は、軸状雄ネジ部５５と、軸状雄ネジ部５５の上端部に形成された拡径部５６とを備えている。拡径部５６の外径寸法はロッド５２の外径よりも大きい寸法に設定されている。抜止めビス５３は、軸状雄ネジ部５５を孔状雌ネジ部５４にねじ込むことによってロッド５２に取り付けられている。
【００３０】
ロッド５２の上下方向における略中央部外周には、大径雄ネジ部５７と、大径雄ネジ部５７の上方に隣接するストッパ５８とが形成されている。ストッパ５８の外径は、大径雄ネジ部５７の外径よりも大きい寸法に設定されている。ロッド５２のうち大径雄ネジ部５７よりも下方の全領域は、大径雄ネジ部５７よりも外径の小さい小径軸部５９となっている。小径軸部５９（ロッド５２）の下端部外周には、小径雄ネジ部６０が形成されている。小径雄ネジ部６０の外径は小径軸部５９の外径と同じ寸法である。
【００３１】
連結キャップ４４は、平面視形状が円形をなす板状抜止め部６１と、板状抜止め部６１の外周から上方へ同心の円筒状に立ち上がった形態の筒状雌ネジ部６２とを有する単一部品である。板状抜止め部６１の中心には、上下方向に貫通した円形の挿通孔６３が形成されている。挿通孔６３の内径は、ロッド５２の外径よりも僅かに大きく、且つ抜止めビス５３の拡径部５６の外径よりも小さい寸法である。
【００３２】
排水栓４５は、平面視形状が円形をなす部材である。排水栓４５の中心部には、排水栓４５を上下方向に貫通する大径雌ネジ孔６４が形成されている。大径雌ネジ孔６４の内径は、小径軸部５９の外径よりも大きい寸法に設定されている。排水栓４５の上端部外周には、フランジ状に拡径した形態の弁機能部６５が形成されている。弁機能部６５の外径は、弁座２４の内径よりも大きい寸法に設定されている。弁機能部６５が弁座２４に対して上から当接することにより、排水路１２における水や湯の流動が阻止されるようになっている。
【００３３】
ヘアキャッチャー４６は、平面視形状が円形をなす円筒部６６と、円筒部６６の外周面から同心円形のフランジ状に拡径した形態の板状捕捉部６７と、板状捕捉部６７の外周縁から上方へ立ち上がった円形の周壁部６８とを有する単一部品である。円筒部６６の内部には、円筒部６６の上面のみに開口した形態の小径雌ネジ孔６９が形成されている。板状捕捉部６７は、板状捕捉部６７を上下方向に貫通した形態の複数の透水孔を有し、メッシュ状をなしている。
【００３４】
多機能モジュール４０の組付け手順を説明する。排水栓４５の大径雌ネジ孔６４に対し、排水栓４５の上方からロッド５２の小径軸部５９を挿通し、大径雄ネジ部５７をねじ込む。そして、排水栓４５の上面がストッパ５８に当接するまで、大径雌ネジ孔６４と大径雄ネジ部５７を締め付けることにより、排水栓４５がロッド５２に取り付けられる。排水栓４５を取り付けた後、ロッド５２の小径雄ネジ部６０に対しヘアキャッチャー４６の小径雌ネジ孔６９をねじ込んで締め付け、ヘアキャッチャー４６をロッド５２の下端部に取り付ける。
【００３５】
排水栓４５とヘアキャッチャー４６をロッド５２に取り付ける工程と前後して、連結キャップ４４の挿通孔６３に対し、連結キャップ４４の下方からロッド５２を挿通する。次に、ロッド５２の孔状雌ネジ部５４に対し抜止めビス５３の軸状雄ネジ部５５をねじ込み、拡径部５６の下面がロッド５２の上端面に当接するまで、軸状雄ネジ部５５と孔状雌ネジ部５４を締め付ける。以上により、ロッド５２と抜止めビス５３が組み付けられて連結部材４３が構成されると同時に、連結部材４３と連結キャップ４４が組み付けられ、弁モジュール４２の組付けが完了する。
【００３６】
この後、連結キャップ４４の筒状雌ネジ部６２を目皿４１の筒状雄ネジ部５１にねじ込み、板状抜止め部６１の上面が筒状連結部４９の下端面に当接するまで、筒状雄ネジ部５１と筒状雌ネジ部６２を締め付ける。以上により、弁モジュール４２と目皿４１の組付けが完了すると同時に、多機能モジュール４０の組付けが完了する。
【００３７】
組付けが完了した状態では、連結部材４３を介して目皿４１と排水栓４５とヘアキャッチャー４６が連結される。連結部材４３と排水栓４５とヘアキャッチャー４６は、一体的に変位し得るように結合されている。一方、連結部材４３の上端部の拡径部５６は、目皿４１の覆い部４７と筒状連結部４９と連結キャップ４４の板状抜止め部６１とで区画された変位許容空間７０内で相対移動が可能となっているので、連結部材４３と目皿４１は、上下方向への相対変位が可能である。但し、拡径部５６が板状抜止め部６１の上面に当接した状態では、連結部材４３と目皿４１は上下へ離れる方向への相対変位を規制される。
【００３８】
図２，３に示すように、多機能モジュール４０は排水口１１から排水路１２内に収容されている。目皿４１は、筒状嵌合部４８を排水管２０の上端部、即ち排水口１１の近傍に嵌合させることで、排水路１２に対して下方へ落ち込むことを規制されている。目皿４１が排水路１２の上端部に取り付けられた状態では、覆い部４７が排水口１１の開口領域全体を上から覆い隠すが、覆い部４７の外周と排水口１１の内周との間には、ボウル１０内の水や湯が排水口１１へ流入することを許容するクリアランス７１が確保されている。このクリアランス７１は、目皿４１の流入孔５０を介して排水路１２の上端部に連通している。
【００３９】
通常の使用時には、図３に示すように、排水栓４５が開弁位置に保持され、弁機能部６５が弁座２４の上方へ離れた状態となる。この状態では、ボウル１０内の水や湯は、排水口１１と流入孔５０を順に通過して排水路１２内に流入し、弁座２４と弁機能部６５との隙間を通り、更にヘアキャッチャー４６の板状捕捉部６７の透水孔を通過する経路で排出される。この排水口１１からオーバーフロー流路１３を経由せずに排水路１２内を流下する経路は、最短排水経路１４となる。排水路１２内を流れる異物等はヘアキャッチャー４６の板状捕捉部６７で捕捉される。
【００４０】
ボウル１０内に水や湯を溜める際には、排水栓４５を開弁位置から閉弁位置まで下降させ、図２に示すように、弁機能部６５を弁座２４に当接させる。排水栓４５が閉弁位置にある状態では、連結部材４３の拡径部５６は、目皿４１と一体の板状抜止め部６１の上方に位置する。排水栓４５を閉弁位置に変位させると、最短排水経路１４は、流入口２５と合流部３０との間において水や湯の流動（排出）を遮断されるので、ボウル１０内に水や湯を供給すると、ボウル１０内の水位が上昇していく。この間、オーバーフロー流路１３内の空気は、フロート弁３１の下部弁口３４、弁室３２、上部弁口３５、収容空間１８及び排気口を介して外気へ放出されるので、オーバーフロー流路１３の上昇流路１７内の水位も、ボウル１０内の水位と同様に上昇していく。
【００４１】
ボウル１０内とオーバーフロー流路１３内の水位が規定水位（上昇流路１７の上端）に達した後は、余剰の水が、折返し流路を経由して下降流路２９内を流下し、合流部３０から排水路１２へ流入して排出される。したがって、ボウル１０内の水や湯がボウル１０の上端外周縁から溢れ出ることはない。ボウル１０内への水や湯の供給流量が多く、折返流路２７内の水位がフロート弁３１の弁室３２に達した場合は、弁体３３が浮力により上昇して上部弁口３５を閉塞するので、オーバーフロー流路１３内の水や湯がオーバーフロー流路１３の外部（収容空間１８内）へ漏出する可能性が低くなる。
【００４２】
排水栓４５を開弁位置と閉弁位置との間で昇降させる手段としては、洗面台本体１５の上面に設けた操作部（図示省略）と、排水路１２内のヘアキャッチャー４６の下面との間にコントロールケーブル（図示省略）を配索する方法がある。コントロールケーブルの上向きの作動端でヘアキャッチャー４６の下面を押し上げれば、排水栓４５を開弁位置へ変位させることができる。コントロールケーブルの作動端を下方へ退避させれば、弁モジュール４２の自重により排水栓４５が閉弁位置へ下降する。
【００４３】
コントロールケーブルとは別の手段としては、ヘアキャッチャー４６の下端面に永久磁石（図示省略）を一体的に取り付けるとともに、排水管２０の外面に永久磁石（図示省略）を設ける方法もある。排水管２０側の永久磁石の向きを変えることにより、双方の永久磁石の間に生じる磁力が、磁気吸引力と磁気反発力とに切り替わるようにすれば、排水栓４５を開弁位置と閉弁位置との間で変位させることができる。
【００４４】
排水路１２内に多機能モジュール４０が収容されている状態において、目皿４１の覆い部４７を摘んで持ち上げると、多機能モジュール４０の全体を簡単に取り外すことができる。目皿４１を持ち上げる過程では、目皿４１と連結キャップ４４が一体となって上昇し、板状抜止め部６１が連結部材４３の拡径部５６の下面に当接する。これ以降は、目皿４１が上昇するのに伴い弁モジュール４２（即ち、連結部材４３と排水栓４５とヘアキャッチャー４６）が一体となって上昇する。
【００４５】
排水路１２から取り外した多機能モジュール４０は、上述した組付けとは逆の手順により、ロッド５２、抜止めビス５３、目皿４１、連結キャップ４４、排水栓４５及びヘアキャッチャー４６に分解することができる。各部品に分解することにより、各部品の清掃やメンテナンスを簡単に行うことができる。
【００４６】
本実施例１の洗面台Ａは、ボウル１０と、オーバーフロー流路１３と、排水栓４５と、目皿４１とを備えている。ボウル１０の底部には排水口１１が開口している。排水路１２は、排水口１１から下方へ延出した形態である。オーバーフロー流路１３は、排水口１１の下方において排水路１２から分岐する流入口２５を有している。排水栓４５は、閉弁位置に変位することにより、流入口２５の下方において排水路１２における水の流れを遮断する。目皿４１は、排水口１１を覆うように配置される。
【００４７】
目皿４１は、排水栓４５との連結がなされており、排水栓４５と連結した状態で排水口１１から上方へ離脱することが可能である。目皿４１を排水口１１の上方へ持ち上げると、目皿４１に連結された状態で排水路１２内に収容されている排水栓４５も、目皿４１と一緒に持ち上げられる。したがって、目皿４１を持ち上げるだけで、排水路１２内に収容されている排水栓４５を排水路１２の外部へ簡単に取り出すことができる。
【００４８】
目皿４１と排水栓４５は連結部材４３を介して連結されていて、連結部材４３の上端部に設けた拡径部５６を、目皿４１に連結キャップ４４を取り付けることによって構成した変位許容空間７０内で上下動し得る構成とした。即ち、目皿４１と排水栓４５との連結（第１連結）は連結部材４３によって実現されており、この第１連結は、目皿４１と排水栓４５との上下方向への相対変位を許容する。これにより、目皿４１と排水栓４５が上下方向への相対変位を可能な形態で連結されている。この構成によれば、排水栓４５が、排水路１２における水の流れを遮断する形態（閉弁位置）と水の流れを許容する形態（開弁位置）との間で上下動しても、目皿４１は排水口１１を覆う状態に保持される。
【００４９】
目皿４１と排水栓４５は、目皿４１に連結キャップ４４を取り付けるとともに、連結部材４３をロッド５２と抜止めビス５３との２分割構造としたことにより、連結状態を解除可能な形態で連結されている。即ち、目皿４１と排水栓４５との第１連結は、解除可能である。この構成によれば、目皿４１と排水栓４５を連結解除して分離することにより、目皿４１と排水栓４５の清掃を容易に行うことができる。目皿４１と排水栓４５のいずれかが破損した場合は、その破損した部品のみを交換すれば済む。
【００５０】
目皿４１には、排水栓４５よりも下方に位置する形態でヘアキャッチャー４６が連結されている。即ち、ヘアキャッチャー４６は、第２連結として目皿４１との連結をなしている。この構成によれば、目皿４１を排水口１１の上方へ持ち上げるだけで、排水路１２内に収容されているヘアキャッチャー４６も、排水栓４５と同様、簡単に取り出すことができる。
【００５１】
多機能モジュール４０を構成する目皿４１と排水栓４５とヘアキャッチャー４６の各部品は、連結部材４３を介して互いに連結され、いずれの部品も連結部材４３に対して着脱可能であり、いずれの部品同士も互いに分離可能である。即ち、目皿４１と排水栓４５との第１連結も、目皿４１とヘアキャッチャー４６との第２連結も、解除可能である。このように多機能モジュール４０を構成する全ての部品が、他の部品から分離させることができるので、各部品の清掃作業やメンテナンス作業が容易となる。目皿４１、排水栓４５、ヘアキャッチャー４６等の各部品のうちいずれかの部品が破損したような場合は、その破損した部品のみを交換することができる。
【００５２】
オーバーフロー流路１３は、流入口２５の下方において排水路１２に合流する合流部３０を有しており、排水栓４５が閉弁位置に変位して排水路１２における水や湯の排水を遮断し、ボウル１０に水や湯を溜めている状態では、ヘアキャッチャー４６が合流部３０よりも下方に配置されている。この構成によれば、オーバーフロー流路１３を通過した毛髪等の異物をヘアキャッチャー４６で捕捉することができる。
【００５３】
＜実施例２＞
次に、本発明を具体化した実施例２を図５を参照して説明する。本実施例２の洗面台Ｂは、多機能モジュール８０を上記実施例１とは異なる構成としたものである。その他の構成については上記実施例１と同じであるため、同じ構成については、同一符号を付し、構造、作用及び効果の説明は省略する。
【００５４】
上記実施例１では、排水栓４５が閉弁位置にあるときにヘアキャッチャー４６がオーバーフロー流路１３の合流部３０よりも下方に位置していたのに対し、本実施例２の多機能モジュール８０は、排水栓４５が閉弁位置にあって排水路１２における水や湯の流動を遮断しているときに、ヘアキャッチャー４６が合流部３０よりも上方に位置している。この構成によれば、ヘアキャッチャー４６の板状捕捉部６７が毛髪等で目詰まりを生じても、オーバーフロー流路１３を経由して合流部３０から排水路１２を通る排水経路が遮断される可能性が低くなる。したがって、ボウル１０の上端外周縁から水や湯が溢れ出すことを確実に防止できる。
【００５５】
＜他の実施例＞
本発明は上記記述及び図面によって説明した実施例に限定されるものではなく、例えば次のような実施例も本発明の技術的範囲に含まれる。
（１）上記実施例１，２では、排水路が管状部材で構成されているが、排水路は、ボウルと一体形成された部材を孔状に穿孔した形態であってもよい。
（２）上記実施例１，２では、排水路が、排水口から鉛直方向下方へ直線状に延出しているが、排水路は、鉛直方向に対して斜め方向へ直線状に延出した形態であってもよい。
（３）上記実施例１，２では、オーバーフロー流路のうち流入口から上昇する上昇流路が、ボウルと一体に成形され、オーバーフロー流路のうち上昇流路の上端から合流部に至る下降流路が、ボウルとは別体の部品として成形されているが、オーバーフロー流路の全体をボウルと一体に成形してもよく、オーバーフロー流路の全体をボウルと別体の部品としてもよい。
（４）上記実施例１，２では、オーバーフロー流路が排水管に連通する合流部を有しているが、オーバーフロー流路の下流端は、排水管に連通せず、排水管とは別の経路で下水道に連通していてもよい。
（５）上記実施例１，２では、目皿と排水栓にヘアキャッチャーが連結されているが、ヘアキャッチャーは目皿及び排水栓に連結されていなくてもよい。
（６）上記実施例１，２では、目皿と排水栓が相対的に上下動可能に連結されているが、目皿と排水栓が相対移動不能に連結されていてもよい。
（７）上記実施例１，２では、連結部材が目皿、排水栓及びヘアキャッチャーとは別体の部品であるが、連結部材と同機能の連結部を、目皿、排水栓及びヘアキャッチャーの少なくとも１つに一体に形成してもよい。
（８）上記実施例１，２では、目皿と排水栓が別体の部品であるが、目皿と排水栓は単一部品を構成するように一体成形されていてもよい。
（９）上記実施例１，２では、目皿とヘアキャッチャーが別体の部品であるが、目皿とヘアキャッチャーは単一部品を構成するように一体成形されていてもよい。
（１０）上記実施例１，２では、排水栓とヘアキャッチャーが別体の部品であるが、排水栓とヘアキャッチャーは単一部品を構成するように一体成形されていてもよい。
（１１）上記実施例１，２では、ヘアキャッチャーをオーバーフロー流路の合流部よりも上方の位置又は合流部よりも下方の位置に配したが、ヘアキャッチャーは、合流部と同じ高さに配してもよい。このようにすれば、オーバーフロー流路を経由する排水経路が遮断されることを回避しながら、オーバーフロー流路を通過した毛髪等をヘアキャッチャーで捕捉することが可能である。
（１２）上記実施例１，２では、排水路内にヘアキャッチャーを設けたが、本発明は、排水路内のヘアキャッチャーを設けない洗面台にも適用できる。
（１３）上記実施例１，２では、ヘアキャッチャーが連結部材に対して着脱可能であるが、ヘアキャッチャーは連結部材と分離不能な形態であってもよい。
【符号の説明】
【００５６】
Ａ，Ｂ…洗面台
１０…ボウル
１１…排水口
１２…排水路
１３…オーバーフロー流路
２５…流入口
３０…合流部
４１…目皿
４３…連結部材
４５…排水栓
４６…ヘアキャッチャー
【図１】
2020041366.tif 000003
【図２】
2020041366.tif 000004
【図３】
2020041366.tif 000005
【図４】
2020041366.tif 000006
【図５】
2020041366.tif 000007